(57)【特許請求の範囲】
【請求項１】
内部に作業空間を有するキャビネットと、前記キャビネットの作業空間内に配置され、粒径４０〜１００μmの粒体を患部に向かって噴射する噴射ノズルと、前記噴射ノズルに粒体を供給する粒体タンクと、該粒体タンクの前記粒体を加速して前記噴射ノズルより噴射する圧縮空気供給源と、前記キャビネット底部に回収された粒体を前記粒体タンク内に給送する給送管と、前記粒体タンクの上壁を介して前記粒体タンク内に連結された集塵機を備えて成り、前記キャビネットの壁面に、外部よりキャビネットの作業空間内に粒体の噴射される患部を挿入可能な挿入孔を設けたことを特徴とするマッサージ装置。
【請求項２】
前記挿入孔の周縁に、患部外周に密着する密閉手段を設けたことを特徴とする請求項１記載のマッサージ装置。
【請求項３】
前記キャビネットを所定の高さに配置すると共に、該キャビネットの一側壁に前記挿入孔を形成した請求項１又は２記載のマッサージ装置。
【請求項４】
マッサージの対象を頭皮とし、前記キャビネットを所定の高さ位置に配置すると共に、該キャビネットの底壁面に前記挿入孔を形成し、前記キャビネットの前記挿入孔の下方に、昇降自在な椅子を設けた請求項１又は２記載のマッサージ装置。
【発明の詳細な説明】
【０００１】
【産業上の利用分野】
この発明は、マッサージ装置に関するものであり、より詳細には、頭皮や手足等のマッサージの対象である人体の一部（本明細書において、「患部」という。）を刺激すると共に、該患部における体表温度の上昇効果をもたらして血行促進等のマッサージ効果を得ることを目的としたマッサージ装置に関する。
【０００２】
【従来の技術】
手、腕、脚、頭皮等の患部に適度な刺激を与え、または該患部における体表温度を上昇させることにより該患部の血行が促進されることが知られており、この血行促進は、筋肉疲労、腰痛、肩凝りの治療、毛髪の育毛促進、痩身等に効果的であることが知られている。
【０００３】
このような患部の血行促進を図るたため、従来より患部を手指や各種機器を使用してマッサージしたり、該患部に温風を吹き付け、又は赤外線を照射して体表温度の上昇効果をもたらす装置が提案されている。
【０００４】
【発明が解決しようとする課題】
前述のように、従来より患部の血行促進のために患部をマッサージすることが行われているが、このマッサージを手指により行う場合、患部の血行が促進される状態までマッサージを繰り返すには長時間を要し、また、好適な効果が得られるまで前記マッサージを続けた場合その運動量は膨大であり、かえって手指や腕が疲労してしまう。
【０００５】
また、患部をマッサージするための種々の機器が提案されているが、人体の表面は極めて変化に富む複雑な曲面により構成されているため、患部が広範囲にわたる場合、その全てを同時に均一にマッサージすることは困難である。
【０００６】
一例として、頭皮のマッサージを行うためにブラシを頭皮に叩き付け、該ブラシに植設された植毛の先端部と頭皮との接触による刺激により頭皮をマッサージする方法にあっては、ブラシは一般に植毛の先端が平坦又は中央部が盛り上がるように植設又は切り揃えられているために、このブラシによりマッサージされる頭皮は、植毛の植設された面積の約１０〜２０％程度であり、頭皮の全体をマッサージするためには何度もブラシの位置を移動させる作業が必要であり、該方法によるマッサージの効率は極めて悪い。
【０００７】
一方、温風の吹き付けや赤外線を照射して患部における体表温度を上昇する方法にあっては、患部が火傷することを防止するためにその温度を比較的低温に設定して加熱することが行われ、所望の効果を得るに長時間を要する。
【０００８】
さらに、前述の従来の方法及び装置にあっては、患部に刺激を与えること、又は患部における体表温度を上昇することのいずれか一方の効果しか得ることができず、患部に刺激を与えつつ、体表温度の上昇効果をもたらすためには、前記方法及び装置を複数組合せる必要があるという問題点があった。
【０００９】
そこで本発明の目的は、患部に対して刺激を与えることにより、該患部の血行が促進されて得られるマッサージ効果と、患部における体表温度の上昇効果をもたらすことにより該患部の血行が促進されることにより得られるマッサージ効果を１台の装置により同時に得ることができ、しかも短時間で所望の効果が得られ、且つ、曲面である身体の表面に、広範囲にわたって前述の効果を均一に与えることができるマッサージ装置を提供することを目的とする。
【００１０】
【課題を解決するための手段】
〔構成〕
上記目的を達成するために、本発明のマッサージ装置１０は、内部に作業空間１３を有するキャビネット１２と、前記キャビネット１２の作業空間１３内に配置され、粒径４０〜１００μmの粒体を患部に向かって噴射する噴射ノズル１４と、前記噴射ノズル１４に粒体を供給する粒体タンク１６と、前記粒体を加速して前記噴射ノズル１４より噴射する圧縮空気供給源と、前記キャビネット底部に回収された粒体を前記粒体タンク内に給送する給送管と、前記粒体タンクの上壁を介して前記粒体タンク内に連結された集塵機を備え、前記キャビネット１２の壁面に、外部よりキャビネット１２の作業空間１３内に頭部、腕、脚等の粒体の噴射される患部を挿入可能な挿入孔１８を設けたことを特徴とする。
【００１１】
前記粒体の形状は、球状、立方体や直方体等の角を有する形状、その他、不定型のもの等の各種形状のものを使用できるが好適には、球状のものを使用する。また、前記粒体の材質は、チタン、鉄等の各種金属製のもの、プラスチック等の樹脂製のもの、破砕したコーンの芯、くるみ等の植物の殻体を破砕したもの、小麦粉等の穀物の粉等の各種材質のものを使用でき、その噴射速度は好適には５０m/sec 以下である。
【００１２】
前記挿入孔１８の周縁には、ゴム、発泡樹脂等の弾性材料を所望の厚みで貼り付けて、患部と挿入孔１８周縁を密着させる密閉手段２０とすることもできるが、好適にはゴム、軟質プラスチック等の伸縮性に富む材料から成り、気体の封入により膨張する無端環状のチューブを配置してこれを密閉手段２０とする。
【００１３】
さらに、前記キャビネット１２を所定の高さ位置に配置すると共に、該キャビネット１２の一側壁に前述の腕、脚、頭部等の患部を挿入する挿入孔１８を形成することもできる。
【００１４】
マッサージの対象を発毛促進等のために、頭皮のみとする場合には、所定の高さ位置に配置されたキャビネット１２の底壁面に頭部を挿入するための挿入孔１８を形成し、前記キャビネット１２の前記挿入孔１８の下方に、油圧、空気圧、電気駆動等の方法により所望の高さに昇降自在な椅子２４を設け、又、キャビネット下方にドアを設けて、処置空間を密閉、遮断することもできる。
【００１５】
〔作用〕
挿入孔１８より腕、脚、頭部等の患部をキャビネット１２の作業空間１３内に挿入し、該作業空間１３内に配置された噴射ノズル１４の先端から粒体を噴射して、該粒体を患部の表面に噴射すると、粒体と衝突した患部が適度な刺激を受けて、該患部の血行が促進される。
【００１６】
また、前記粒体が患部の皮膚表面に衝突すると、該衝突の際の衝撃及び粒体と皮膚の表面との接触摩擦により、皮膚の表面温度が瞬間的に上昇し、該上昇により、患部の血行が促進されてマッサージ効果を得ることができる。
【００１７】
前記患部を作業空間１３内に挿入するための挿入孔１８の周縁に、気体の封入により膨張するチューブ２０を設けたマッサージ装置１０にあっては、該挿入孔１８に腕、脚、頭部等を挿入後に前記チューブ２０に気体を封入すると、腕、脚、頭部等の外周と前記挿入孔１８間の隙間が埋められて腕、脚、頭部等が挿入孔１８内に固定されると共に、粒体を噴射した際に該粒体が挿入孔１８と患部の外周間に生じた隙間からキャビネット１２外に飛び出すことを防止できる。
【００１８】
さらに、キャビネット１２の一側壁に挿入孔１８を設けたマッサージ装置１０にあっては、該挿入孔１８に腕、脚の挿入が容易である。
【００１９】
なお、頭皮のマッサージを目的とし、キャビネット１２の底壁面に頭部を挿入するための挿入孔１８を形成したマッサージ装置１０にあっては、前記挿入孔１８の下方に配置された椅子２４に患者を座らせ、この椅子２４を上昇させることにより、容易に患者の頭部を挿入孔１８内に挿入することができ、また、マッサージ中患者は無理のない姿勢で椅子２４に座していることができるので、マッサージの際の負担を軽減できる。
【００２０】
【発明の実施の形態】
次に、本発明の実施の形態につき添付図面を参照しながら以下説明する。
なお、以下本発明のマッサージ装置を頭皮のマッサージ用として使用する例について説明するが、本発明のマッサージ装置を手、足等の身体の他の部分のマッサージ用として使用することができることは前述の通りである。
【００２１】
図１において、１０は本発明のマッサージ装置を示し、このマッサージ装置１０は、金属板等により成る壁面により囲まれた作業空間１３を成すキャビネット１２と、このキヤビネット１２内に粒体を噴射する粒体の噴射機構より成り、前記粒体の噴射機構は、前記キャビネット１２内に配置された噴射ノズル１４と、該噴射ノズル１４に粒体を供給する粒体タンク１６、及び前記粒体を噴射ノズル１４中で加速して噴射する圧縮空気を供給する圧縮空気供給源より成る。
【００２２】
〔キャビネット〕
前述のようにキャビネット１２内には、金属板等により形成された壁面により囲まれた作業空間１３が形成されており、本発明の形態にあっては、前記キャビネット１２の形状を上部において略直方体を成す箱体と成し、下方において逆角錐状に形成して、キャビネット１２の作業空間１３内で噴射された粒体が該逆角錐状に形成されたキャビネット１２の下方に重力により集められて容易に回収し得るように構成している。
【００２３】
このキャビネット１２の一側壁には、円形の開孔である頭部挿入孔１８が形成されており、この頭部挿入孔１８を介して患者の頭部を前記作業空間１３内に挿入し得るように構成している。
【００２４】
前記頭部挿入孔１８は、前記金属板等より成るキャビネット１２の側壁に所定径の孔を形成し、その周縁に、挿入された頭部との間の隙間を埋めるための密閉手段２０を配置したものである。
【００２５】
この密閉手段２０としては、例えば発泡ウレタンやゴム等の弾性材を使用することができ、前記開孔の周縁全周に所望の厚さの帯状に形成された発泡ウレタン等より成る密閉手段２０を接着等して頭部と開孔間の隙間を埋めると共に頭部の良好な挿入感が得られるよう構成する。本発明の形態にあっては、前記密閉手段２０として無端環状に形成されたゴムチューブを使用し、前述の開孔の周縁にゴムチューブを接着してこのゴムチューブにより頭部挿入孔１８の周縁を形成している。
【００２６】
このように、ゴムチューブにより頭部挿入孔１８の周縁を形成し、頭部挿入孔１８に頭部を挿入後、このゴムチューブに、例えば、前記圧縮空気供給源より図示せざる減圧弁、配管を介して空気を封入して膨らませることで、封入する気体量の調整により患者の頭部形状、頭部の大きさに影響されることなく頭部挿入孔１８と患者の頭部の周縁間に隙間を生じさせない構成とすることができ、しかも、空気の封入されたゴムチューブの弾性により、頭部挿入孔１８内に頭部を緩やかに固定することができ、作業中の患者の負担が軽減される。
【００２７】
なお、前記頭部挿入孔１８の形成箇所は、キャビネット１２の側壁のみに限定されず、例えば図２に示すようにキャビネット１２の底壁に形成することもできる。この場合には、患者が座った状態において頭部を無理なく挿入し得るように底壁の傾斜を緩やかなものとする。
【００２８】
前記頭部挿入孔１８の形成されたキャビネットの壁面とは異なる壁面には、作業空間１３内の作業状態を目視し、頭皮に対して確実・良好な状態で粒体を噴射することができるように、作業空間１３内を外部より透視可能な覗き窓２６を設ける。この覗き窓２６は、キャビネット１２の側壁面や上壁面に所望形状の開孔を形成し、この開孔の形状に合致するガラスやアクリル樹脂等の透明な板を嵌合して形成する。
【００２９】
前記覗き窓２６をキャビネット１２の一側壁に形成する場合には、好適には、操作者が立って作業をした場合であっても屈み込むことなく容易に作業空間１３内を観察できるように、前記側壁全体又は側壁の覗き窓２６を形成する部分を３０°前後傾斜させて、該傾斜面にこの覗き窓２６を設ける。
【００３０】
前記覗き窓２６の設けられた下方の側壁には、操作者が作業空間１３内に手指を挿入するたるの２の作業孔２８，２８が開孔されており、該作業孔２８，２８より手指を挿入して、キャビネット１２内に配置された後述の噴射ノズル１４を把持して頭部の所望の位置に粒体を噴射する。
【００３１】
なお、前記手指を挿入する作業孔２８，２８は、本発明の形態にあっては、例えば厚手のゴム製手袋の開口端縁を前記作業孔２８，２８の周縁に固着して、手指を前記作業孔２８，２８内に挿入すると必然的に挿入された手指にゴム手袋が装着された状態となるように構成したものであり、その結果、キャビネット１２の作業空間１３内に挿入された操作者の手指に粒体が直接付着することがなく、また、作業孔２８，２８を介して粒体がキャビネット１２外に飛び出すことが防止される。
【００３２】
なお、図１中３０はモータであり、このモータ３０により図示せざるファンが回転して、キャビネット１２底部に回収されて溜まった粒体を給送管３２を介して後述の粒体タンク１６内に給送し得るようにしたものである。
【００３３】
また、３４は脚であり、この脚により前記キャビネット１２が床面上の所望の高さ位置に配置され、マッサージ装置１０の安定性と、患及び操作者の楽な姿勢での作業を可能とする。
【００３４】
〔粒体の噴射機構〕
以上のように構成されたキャビネット１２の作業空間１３内において、粒体が患者の頭皮に噴射され、マッサージが行われる。
【００３５】
このキャビネット１２の作業空間１３内において粒体を患者の頭部に噴射する粒体の噴射機構としては、キャビネット１２の上方に配置された粒体タンク１６内に収納された粒体を重力により落下させることにより、又は遠心力の付与により前記落下した粒体を加速して噴射する構成の装置により頭皮に対する粒体の噴射を行うこともできるが、本発明の形態においては粒体の噴射方向及び噴射圧力の調整の容易性を考慮し、圧縮空気により粒体を加速して噴射する構成とした。より具体的には、内部に粒体の流路４４と圧縮空気の流路４２の形成された噴射ノズル１４の前記圧縮空気の流路４２に、コンプレッサ等の図示せざる圧縮空気供給源を連結し、また、前記噴射ノズル１４の粒体の流路４４に粒体の供給源である粒体タンク１６を連結して、前記噴射ノズル１４内に圧縮空気および粒体を供給すると共に、前記噴射ノズル１４の先端方向において前記圧縮空気の流路４２と粒体の流路４４を合流させて、圧縮空気により粒体を加速して噴射ノズル１４の先端より噴射し得るように構成したものである。
【００３６】
前記粒体タンク１６は、本発明の形態においては、円筒状の容器を下方において幅狭に絞ってその下方を逆円錐状に形成したものであり、該逆円錐状に形成された粒体タンク１６の下方をキャビネット１２の上壁面を貫通させてキャビネット１２の作業空間１３内に配置している。
【００３７】
前記キャビネット１２の作業空間１３内であって、前記粒体タンク１６の下端部には、ゴムホース等の可撓性のホースを介して噴射ノズル１４が連結されており、従って粒体タンク１６内に収納された粒体は重力により前記ホースを介して噴射ノズル１４内に供給し得るように構成されている。
【００３８】
前記噴射ノズル１４は、図３に示すように内部を中空と成し粒体及び圧縮空気の流路４４，４２が形成されており、前記粒体及び圧縮空気の流路４４，４２は噴射ノズル１４の先端方向において合流している。そして、前記粒体の流路４４には、前述の粒体タンク１６が連結されている。
【００３９】
前記噴射ノズル１４内に形成された他方の流路である圧縮空気の流路４２には、ゴムホース等の可撓性のホースを介して、コンプレッサ等の図示せざる圧縮空気供給源が連結されている。
【００４０】
従って、粒体タンク１６に連結された噴射ノズル１４の粒体の流路４４には、該粒体の重量により粒体タンク１６より落下した粒体が随時供給され、圧縮空気の流路４２には、図示せざる圧縮空気供給源より供給された圧縮空気が供給されている。そして、両流路４４，４２の合流地点において圧縮空気と粒体が合流・混合されて、圧縮空気と混合された粒体が圧縮空気と共に噴射ノズル１４の先端より噴射される。
【００４１】
前述のように、本発明の形態においては、前記粒体の噴射機構を、粒体を重力により落下させて噴射ノズル１４内に供給し、この粒体を噴射ノズル１４内で圧縮空気により加速する構成としたが、この構成に代えて、例えば気密状態に形成された粒体タンク１６内に圧縮空気を供給して粒体タンク１６内の粒体を該供給された圧縮空気の圧力により噴射するよう構成しても良く、また、噴射ノズル１４に対する粒体の供給を重力によるものとせず、圧縮空気の噴射圧力による吸引により噴射ノズル１４内に粒体を吸引して圧縮空気と混合し、噴射ノズル１４より噴射するように構成することもできる。このように構成した場合には、粒体タンク１６を噴射ノズル１４よりも高所に配置する必要がなく、従って粒体タンクの配置位置はキャビネット１２の上部である必要はない。
【００４２】
また、前記粒体タンク１６には、既知の集塵機を連結することもできる。本発明の形態にあっては、前記粒体タンク１６の側壁にキャビネツト１２の底部に連結された給送管３２を連結して、該部より回収された粒体を粒体タンク１６内に給送すると共に、粒体タンク１６の上壁に図示せざる集塵機に連結された配管を連結し、該配管を介して粒体タンク１６内のゴミや粉塵を除去できるように構成している（図１及び図２）。このように、粒体タンク１６に集塵機を連結することにより、頭皮に対する粒体の噴射の際に抜け落ちた毛髪や、一部頭皮から剥離した死滅した皮膚、割れ又は欠けた粒体等、粒体タンク１６内に回収された粒体中に混在するゴミや粉塵を除去することで、噴射ノズル１４の目詰まりを防止でき、また、常時清浄な粒体を頭皮に噴射することができ衛生的である。
【００４３】
〔使用方法〕
以上のように構成された本発明のマッサージ装置１０の使用方法について説明すると、キャビネット１２の側壁に頭部挿入孔１８を形成したマッサージ装置１０にあっては、頭皮のマッサージを受ける患者を前記マッサージ装置１０の近傍に配置された載置台２２上に横臥させてその頭部をキャビネット１２の一側壁に形成された頭部挿入孔１８よりキャビネット１２の作業空間１３内に挿入する。
【００４４】
キャビネット１２の下壁面に頭部挿入孔１８の形成されたマッサージ装置１０にあっては、キャビネット１２を台上に載置し、又はキャビネット１２に脚３４を設ける等してキャビネット１２を所定の高さに配置し、このキャビネット１２の下方に、例えば油圧、空気圧、電気駆動等の既知の手段によりその高さを調整自在に構成された椅子２４を配置し、該椅子２４に腰掛けた患者の頭部を前記椅子の上昇により、頭部挿入孔に挿入する。
【００４５】
キャビネット１２内に頭部を適正な位置まで挿入した後、この頭部挿入孔１８の周縁を形成するゴムチューブ２０内に圧縮空気その他の気体を封入して前記ゴムチューブを膨らませ、頭部と前記頭部挿入孔１８の周縁間を密着して頭部を頭部挿入孔に固定する。
【００４６】
このようにして、作業空間１３内に頭部を挿入し、頭部挿入孔１８に頭部を固定後、キャビネット１２の一側壁に形成された作業孔２８，２８に操作者が手指を挿入し、作業空間１３内に配置された噴射ノズル１４を把持し、この噴射ノズル１３の先端を患者の頭部に向けて該噴射ノズル１４内に圧縮空気を供給する。
【００４７】
この圧縮空気の供給により、前記噴射ノズル１４内で圧縮空気と粒体が合流・混合され、この圧縮空気により加速された粒体が噴射ノズル１４の先端より頭皮に向かって噴射される。
【００４８】
なお、前記粒体の噴射に際して噴射速度を５０m/sec 以下とし、また、噴射される粒体の粒径を４０〜２０００μ、より好適には４０〜１００μのものを使用する。
【００４９】
粒体の材質は、各種の樹脂や金属粉末、穀物や穀物の殻、茎等を粉砕して粉末状としたもの等、各種のものを使用可能であるが、頭皮を傷つけないよう、その形状は球状とすることが望ましい。
【００５０】
このようにして頭皮に粒体を噴射すると、約２分間の噴射により粒体の衝突が適度な刺激となって頭皮がマッサージされると共に、粒体と頭皮の衝突の際の衝撃及び摩擦により頭皮の表面温度が瞬間的に上昇し、心地よい暖かさとなる。
【００５１】
粒体の噴射による頭皮の表面温度の上昇は、瞬間的に１００℃前後にまで上昇するものであるが、この温度の上昇は極めて瞬間的なものであり、頭皮に傷、火傷等を生じさせるものではない。
【００５２】
このようにして粒体の噴射によるマッサージの終了後、頭皮又は頭髪に粒体が付着している場合には前記噴射ノズル１４に対する粒体の供給のみを止めて圧縮空気のみを頭部に噴射して頭髪の間や頭皮に付着した粒体を吹き落とした後、頭部挿入孔１８の周縁を成すチューブ２０内の気体を抜いて患者の頭部を前記頭部挿入孔１８より抜き取る。
【００５３】
以上のように、本発明のマッサージ装置１０を頭皮のマッサージ用として使用する場合について説明したが、本願のマッサージ装置１０は前述の頭皮のマッサージに代え、前記頭部挿入孔１８より手、足等の人体の他の部分を挿入してマッサージを行うことにより、前述の刺激と体表温度の上昇効果による筋肉疲労、手足の疲れ、凝りを治療し、また、脂肪の燃焼により痩身効果を得ることも可能であり、さらには、１００℃前後まで皮膚の表面温度を瞬間的に上昇し得ることによる殺菌作用、及び粒体の衝撃により死滅した皮膚の表面が一部剥離されることを利用して、例えば白癬菌等の菌類の寄生により発生する水虫、田虫等の皮膚疾患の治療装置として使用することもできる。この場合には、薬効成分を含浸させた粒体を噴射しても良い。
【００５４】
〔試験例〕
以上説明したマッサージ装置を使用して頭皮のマッサージを行った結果を以下に示す。
【００５５】
なお、各試験例における試験条件は、下記表１の通りであり、表１中「エアー圧力」は、圧縮空気供給源より供給された圧縮空気の圧力を示し、「噴射方法」中「重力」とあるのは、重力により噴射ノズルに供給された粒体を圧縮空気で加速して噴射する粒体の噴射機構の粒体の噴射方式を示す。また、「ノズル距離」は、噴射ノズルの先端と頭皮間の距離を示す。
【００５６】
【表１】
0003860869.tif 000002
【００５７】
以上の条件で、頭皮のマッサージを行った結果は、以下の通りである。
【００５８】
試験例１
粒体の衝突による適度の衝撃が心地良く、また、頭皮の発熱が実感でき心地良い温度に体表温度の上昇効果をもたらし、短時間で良好なマッサージ効果を得ることができた。また、曲面であり、遮蔽物である頭髪の存在する頭皮に対しても粒体の噴射を均一に行え良好であった。なお、マッサージの終了後、頭髪に粒体が多少付着したまま残ったものの、圧縮空気のみの噴射又は手指により叩くことにより、該粒体は容易に除去できた。
【００５９】
試験例２
粒体の衝突により、頭皮表面の発熱が実感でき、また、粒体の噴射を均一に行うことができ、短時間でマッサージ効果があったものの、多少の痛みを感じた。なお、粒体が多少頭髪に付着して残ったが、この粒体は前記試験例１と同様に容易に除去できた。
【００６０】
試験例３
粒体の衝突による適度の衝撃が心地良く、また、頭皮の発熱が実感でき心地良い温度に体表温度の上昇効果をもたらし、短時間で良好なマッサージ効果を得ることができた。また、粒体の噴射を均一に行うことができ、頭皮に対して均一なマッサージ効果を付与することができた。なお、頭髪に粒体が多少付着したものの、試験例１と同様に容易に除去できた。
【００６１】
なお、上記試験例１〜３においては、２分間という極めて短時間の試験であるため、ただちに毛髪の発育は確認されなかったが、頭皮の血行が促進されたことが体感できたことから、本発明のマッサージ装置により定期的にマッサージを行うことは、毛髪の発育の促進に効果的であると考えられる。
【００６２】
【発明の効果】
以上説明した本発明の構成により、本発明のマッサージ装置は以下の効果を有する。
【００６３】
噴射ノズルの先端から粒体を噴射して、該粒体を身体の表面に噴射することにより、粒体と衝突した部分が適度な刺激を受けて、該部分の血行が促進されると共に、前記粒体が皮膚の表面に衝突した際の衝撃及び粒体と皮膚の表面との接触摩擦により、皮膚の表面温度が瞬間的に上昇して、該部分の血行が促進されてマッサージ効果を得ることができた。
【００６４】
前記身体の一部を作業空間内に挿入するための挿入孔の周縁に伸縮性のある材質にて形成されたチューブを設けたマッサージ装置にあっては、挿入孔の周縁に設けられたチューブを膨張させることとにより、該挿入孔に挿入された腕、脚、頭部等を挿入孔内に緩やかに固定することができると共に、腕、脚、頭部等の外周と前記挿入孔間の隙間が充填されて該隙間から粒体がキャビネット外に飛び出すことを防止できる。
【００６５】
さらに、キャビネットの一側壁に挿入孔を設けたマッサージ装置にあっては、該挿入孔を介して作業空間内に腕、脚等の患部を容易に挿入することができた。
【００６６】
なお、頭皮のマッサージを目的とし、キャビネットの底壁面に頭部を挿入するための挿入孔を形成したマッサージ装置にあっては、前記挿入孔の下方に配置された椅子に患者を座らせ、この椅子を上昇させることにより、容易に患者の頭部を挿入孔内に挿入することができ、また、作業中患者は無理のない姿勢で椅子に座していることができるので、治療の際の患者の負担を軽減できた。
【図面の簡単な説明】
【図１】  本発明のマッサージ装置を示す要部断面斜視図。
【図２】  本発明の別のマッサージ装置を示す側面断面図。
【図３】  噴射ノズルの一例を示す平面断面図。
【符号の説明】
１０  マッサージ装置
１２  キャビネット
１３  作業空間
１４  噴射ノズル
１６  粒体タンク
１８  （頭部）挿入孔
２０  密閉手段
２２  載置台
２４  椅子
２６  覗き窓
２８  作業孔
３０  モータ
３２  給送管
３４  脚
４２  圧縮空気の流路
４４  粒体の流路
【図１】
0003860869.tif 000003
【図２】
0003860869.tif 000004
【図３】
0003860869.tif 000005